(57)【要約】      （修正有）【課題】製造コストの増加を抑制しつつ、ＴＡＢ線を予定された位置に精度よく接続することができる太陽電池セル及び太陽電池モジュールを提供する。【解決手段】太陽電池セル１００において、フィンガー電極３は、逆方向から、フィンガー電極３と交差する方向に延びてＴＡＢ線が接続されるＴＡＢ領域ＳＦに至る複数の第一フィンガー電極及び複数の第二フィンガー電極を備える。【選択図】図１
2014042000.tif 000002
【特許請求の範囲】
【請求項１】
基板の受光面に配置された複数のフィンガー電極を有し、
前記フィンガー電極は、逆方向から、前記フィンガー電極と交差する方向に延びてＴＡＢ線が接続されるＴＡＢ領域に至る複数の第一フィンガー電極及び複数の第二フィンガー電極を備える、太陽電池セル。
【請求項２】
前記フィンガー電極は、前記ＴＡＢ領域と直交する方向に延びる、請求項１に記載の太陽電池セル。
【請求項３】
前記複数の第一フィンガー電極の前記ＴＡＢ領域に至る先端及び前記複数の第二フィンガー電極の前記ＴＡＢ領域に至る先端は、当該ＴＡＢ領域の延在方向と平行な線上にある、請求項１又は２に記載の太陽電池セル。
【請求項４】
前記複数の第一フィンガー電極の前記ＴＡＢ領域に至る先端及び前記複数の第二フィンガー電極の前記ＴＡＢ領域に至る先端は、当該ＴＡＢ領域の幅方向の中心から等距離にある、請求項１〜３の何れか一項に記載の太陽電池セル。
【請求項５】
前記ＴＡＢ領域において、前記第一フィンガー電極と前記第二フィンガー電極とが前記ＴＡＢ領域の延在方向に交互に設けられている、請求項１〜４のいずれか一項に記載の太陽電池セル。
【請求項６】
前記第一フィンガー電極と前記第二フィンガー電極とは、前記ＴＡＢ領域の延在方向に重なる、請求項５に記載の太陽電池セル。
【請求項７】
前記ＴＡＢ領域の延在方向に隣接する少なくとも一対の前記第一フィンガー電極と前記第二フィンガー電極とが接触している、請求項６に記載の太陽電池セル。
【請求項８】
前記ＴＡＢ領域の延在方向に隣接する全ての前記フィンガー電極が離間している、請求項６に記載の太陽電池セル。
【請求項９】
前記第一フィンガー電極と前記第二フィンガー電極とが重なる長さは、前記ＴＡＢ領域の幅以下である、請求項６〜８の何れか一項に記載の太陽電池セル。
【請求項１０】
前記第一フィンガー電極と前記第二フィンガー電極とが重なる長さは、前記ＴＡＢ領域の幅と略同一である、請求項９の何れか一項に記載の太陽電池セル。
【請求項１１】
前記第一フィンガー電極と前記第二フィンガー電極とが重なる長さは、前記ＴＡＢ領域の幅の１０％以上である、請求項６〜８の何れか一項に記載の太陽電池セル。
【請求項１２】
請求項１〜１１のいずれか一項に記載の太陽電池セルが複数配置され、
ＴＡＢ線が、前記複数の太陽電池セルのうち所定の太陽電池セルのＴＡＢ領域に沿って配置され、接着剤により前記所定の太陽電池セルの前記第一フィンガー電極及び前記第二フィンガー電極に連結され、
前記ＴＡＢ線が、前記複数の太陽電池セルのうち他の太陽電池セルの裏面に形成された裏面電極に更に連結されている、太陽電池モジュール。
【請求項１３】
前記接着剤が、導電性接着剤又は絶縁性接着剤である、請求項１２に記載の太陽電池モジュール。
【発明の詳細な説明】
【技術分野】
【０００１】
本発明は、太陽電池セル及び太陽電池モジュールに関する。
【背景技術】
【０００２】
近年、深刻化する地球温暖化や化石エネルギー枯渇問題を解決する手段として、太陽電池が注目されている。この太陽電池は、通常、複数の太陽電池セルを直列又は並列に接続することで形成される。この太陽電池セルの表面（受光面）には、出力を得るためのＡｇからなる直線状の電極（フィンガー電極）が、互いに平行に複数本形成されている。また、裏面には、その全面を覆うようにＡｌからなる裏面電極が形成されている。そして、隣接する太陽電池セルのうち、一方の太陽電池セルの受光面に全てのフィンガー電極と互いに直交するように金属配線部材（ＴＡＢ線）を接続し、さらにこのＴＡＢ線を他方の太陽電池セルの裏面電極に接続することで、隣接する太陽電池セルが互いに接続される。
【先行技術文献】
【特許文献】
【０００３】
【特許文献１】特開２００２−２６３８８０号公報
【特許文献２】特開２００４−２０４２５６号公報
【特許文献３】特開平８−３３０６１５号公報
【特許文献４】特開２００３−１３３５７０号公報
【特許文献５】特開２００５−２４３９３５号公報
【特許文献６】特開２００７−２６５６３５号公報
【発明の概要】
【発明が解決しようとする課題】
【０００４】
従来、ＴＡＢ線の接続には、良好な導電性を示すはんだが使用されてきた（特許文献１）。また、最近では、環境問題を考慮して、Ｐｂを含まないＳｎ−Ａｇ−Ｃｕはんだが使用されることもある（特許文献１、２）。しかし、これらのはんだをＴＡＢ線の接続に使用する場合、約２２０℃以上の熱が太陽電池セルに加わるため、接続工程の歩留りの低下や太陽電池セルの反りが発生するおそれがある。これらを抑制するために、太陽電池セル中のシリコンの厚みを増加させることが考えられる。しかし、この場合、製造コストが増加してしまう。
【０００５】
また、上記のようなはんだをＴＡＢ線の接続に使用する場合、はんだのぬれ性を確保するために、太陽電池セルの表面及び裏面において当該ＴＡＢ線が配置される位置に、予めＡｇからなる電極（バスバー電極）を形成しておく必要がある。しかし、Ａｇは高価であるため、製造コストが増加してしまう。また、Ａｇの電気抵抗は小さいが、バスバー電極が細いと、当該バスバー電極のシート抵抗が大きくなる。そうすると、バスバー電極における電力損失が増加して、太陽電池セルの発電性能が低下してしまう。このため、バスバー電極のシート抵抗を抑制するために、バスバー電極の幅はある程度太くする必要があり、さらに製造コストが増加する原因となっている。
【０００６】
そこで、近年、はんだに代えて導電性接着層を有する導電性接着剤をＴＡＢ線の接続に使用することが提案されている（特許文献３〜６）。この導電性接着剤は熱硬化性樹脂中にＮｉ粒子等の金属粒子を混合・分散させた組成物であり、この金属粒子がＴＡＢ線と太陽電池セルの電極との間に挟まれることで電気的な接続が実現される。導電性接着剤をＴＡＢ線の接続に使用する場合、２００℃以下で接続を行うことが可能であるため、接続工程の歩留りの低下や太陽電池セルの反りが抑制される。また、導電性接着剤をＴＡＢ線の接続に使用する場合、ぬれ性の確保が不要となるため、ぬれ性の確保のために形成されていたバスバー電極が不要となり、Ａｇの使用が低減される。
【０００７】
しかしながら、太陽電池セルの表面及び裏面にバスバー電極が形成されていないと、ＴＡＢ線の接続位置が確認できず、ＴＡＢ線を予定された位置に精度よく貼り付けることができないおそれがある。ＴＡＢ線を予定された位置に貼り付けることができないと、太陽電池セルの並びが蛇行してしまい、太陽電池セルに残留応力が発生して製造の歩留まりが低下するおそれがある。これに対し、予定された接着位置に位置合わせ用のアライメントマークを別に形成することが考えられる。しかし、アライメントマークの形成工程が複雑であると、製造コストが増加してしまう。
【０００８】
本発明は、このような課題を解決するために成されたものであり、製造コストの増加を抑制しつつ、ＴＡＢ線を予定された位置に精度よく接続することができる太陽電池セル及び太陽電池モジュールを提供することを目的とする。
【課題を解決するための手段】
【０００９】
本発明に係る太陽電池セルは、基板の受光面に配置された複数のフィンガー電極を有し、フィンガー電極は、逆方向から、フィンガー電極と交差する方向に延びてＴＡＢ線が接続されるＴＡＢ領域に至る複数の第一フィンガー電極及び複数の第二フィンガー電極を備える。
【００１０】
本発明に係る太陽電池セルでは、複数の第一フィンガー電極及び複数の第二フィンガー電極が逆方向からＴＡＢ領域に至ることで、複数の第一フィンガー電極の先端及び複数の第二フィンガー電極の先端により、ＴＡＢ領域を視覚的に浮き上がらせることができる。よって、別途アライメントマークを形成しなくてもＴＡＢ領域を把握することができるため、電極材の使用量の増加を抑制しつつ、ＴＡＢ線を予定された位置に精度よく接続することができる。
【００１１】
フィンガー電極は、ＴＡＢ領域と直交する方向に延びることが好ましい。これによって、太陽電池セルの集光効率を向上することができる。
【００１２】
本発明に係る太陽電池セルでは、複数の第一フィンガー電極のＴＡＢ領域に至る先端及び複数の第二フィンガー電極のＴＡＢ領域に至る先端は、当該ＴＡＢ領域の延在方向と平行な線上にあることが好ましい。これによって、複数の第一フィンガー電極の先端又は複数の第二フィンガー電極の先端の位置を、ＴＡＢ領域と平行な位置として視覚的に浮き上がらせることができる。よって、ＴＡＢ領域と平行にＴＡＢ線を配置することができるため、ＴＡＢ線を予定された位置に精度よく接続することができる。
【００１３】
本発明に係る太陽電池セルでは、複数の第一フィンガー電極のＴＡＢ領域に至る先端及び複数の第二フィンガー電極のＴＡＢ領域に至る先端は、当該ＴＡＢ領域の幅方向の中心から等距離にあることが好ましい。このようにすれば、複数の第一フィンガー電極の先端又は複数の第二フィンガー電極の先端に挟まれる領域の中心とＴＡＢ領域の幅方向の中心とが一致するため、ＴＡＢ領域の幅方向の中心を容易に把握することができる。よって、ＴＡＢ線を予定された位置に精度よく接続することができる。
【００１４】
本発明に係る太陽電池セルでは、ＴＡＢ領域において、第一フィンガー電極と第二フィンガー電極とがＴＡＢ領域の延在方向に交互に設けられていることが好ましい。このように、複数の第一フィンガー電極及び複数の第二フィンガー電極を配置しても、上述した太陽電池セルと同様にＴＡＢ線を予定された位置に精度よく接続することができる。
【００１５】
本発明に係る太陽電池セルでは、第一フィンガー電極と第二フィンガー電極とは、ＴＡＢ領域の延在方向に重なることが好ましい。この場合、ＴＡＢ領域の延在方向に隣接する少なくとも一対の第一フィンガー電極と第二フィンガー電極とが接触していてもよく、ＴＡＢ領域の延在方向に隣接する全てのフィンガー電極が離間していてもよい。このようにすれば、第一フィンガー電極と、第二フィンガー電極との重なりにより、ＴＡＢ領域をより明確に表すことができ、ＴＡＢ線を予定された位置により精度よく接続することができる。
【００１６】
本発明に係る太陽電池セルでは、第一フィンガー電極と第二フィンガー電極とが重なる長さは、ＴＡＢ領域の幅以下であることが好ましい。このようにすれば、第一フィンガー電極及び第二フィンガー電極によって受光面積が小さくなることがないため、集光効率の向上を図りながら、ＴＡＢ線を予定された位置に精度よく接続することができる。
【００１７】
本発明に係る太陽電池セルでは、第一フィンガー電極と第二フィンガー電極とが重なる長さは、ＴＡＢ領域の幅と略同一であることが好ましい。これによって、第一フィンガー電極と第二フィンガー電極とが重なる部分とＴＡＢ領域の幅とが一致するため、第一フィンガー電極と第二フィンガー電極とが重なっている部分をＴＡＢ領域の幅として明確に表すことができ、ＴＡＢ線を予定された位置により精度よく接続することができる。
【００１８】
本発明に係る太陽電池セルでは、第一フィンガー電極と第二フィンガー電極とが重なる長さは、ＴＡＢ領域の幅の１０％以上であることが好ましい。これによって、ＴＡＢ領域の位置を認識するための十分な幅を確保することができるため、第一フィンガー電極と第二フィンガー電極とが重なっている部分をＴＡＢ領域として視覚的に明確に表すことができ、ＴＡＢ線を予定された位置により精度よく接続することができる。
【００１９】
また、本発明に係る太陽電池モジュールは、上述の太陽電池セルが複数配置され、ＴＡＢ線が、複数の太陽電池セルのうち所定の太陽電池セルのＴＡＢ領域に沿って配置され、接着剤により所定の太陽電池セルの第一フィンガー電極及び第二フィンガー電極に連結され、ＴＡＢ線が、複数の太陽電池セルのうち他の太陽電池セルの裏面に形成された裏面電極に更に連結されている。この場合、接着剤は、導電性接着剤又は絶縁性接着剤とすることができる。本発明に係る太陽電池モジュールでは、ＴＡＢ線が予定された位置に精度よく接続されるため、太陽電池セルの列が蛇行することを抑制できる。これにより、太陽電池モジュールを製造する際、太陽電池セルに残留応力が発生することを抑制でき、製造の歩留まりを向上することができる。
【発明の効果】
【００２０】
本発明によれば、製造コストの増加を抑制しつつ、ＴＡＢ線を予定された位置に精度よく接続することができる太陽電池セル及び太陽電池モジュールを提供することができる。
【図面の簡単な説明】
【００２１】
【図１】太陽電池セルの受光面を示す平面図である。
【図２】図１におけるＴＡＢ領域を拡大して示した図である。
【図３】図１の太陽電池セルの裏面を示す底面図である。
【図４】図１の太陽電池セルを複数接続した状態を示す斜視図である。
【図５】図４の概略側面図である。
【図６】本実施形態の太陽電池セルの他の例を示す平面図である。
【図７】本実施形態の太陽電池セルにおけるフィンガー電極の他の例を示す平面図である。
【図８】本実施形態の太陽電池セルにおけるフィンガー電極の他の例を示す平面図である。
【図９】本実施形態の太陽電池セルにおけるフィンガー電極の他の例を示す平面図である。
【図１０】本実施形態の太陽電池セルの他の例を示す平面図である。る。
【発明を実施するための形態】
【００２２】
以下、図面を参照しながら、本発明に係る太陽電池セル及び太陽電池モジュールの好適な実施形態について詳細に説明する。なお、図面の説明において同一の要素には同一の符号を付し、重複する説明を省略する。また、図示の便宜上、図面の寸法比率は説明のものと必ずしも一致しない。
【００２３】
図１は太陽電池セルの受光面を示す平面図、図２は図１におけるＴＡＢ領域ＳＦ１を拡大して示した図である。図３は図１の太陽電池セルの裏面を示す底面図、図４は図１の太陽電池セルを複数接続した状態を示す斜視図、図５は図４の概略側面図である。以下の説明において、フィンガー電極３が延びる方向を第一方向Ｄ１とし、フィンガー電極３と直交する方向を第二方向Ｄ２とする。
【００２４】
図１に示すように、太陽電池セル１００は、複数が電気的に直列又は並列に接続されて１つの太陽電池モジュールを形成するものであり、基板２を有している。この基板２は略正方形状を呈しており、その四隅は円弧状となっている。基板２の一方面は受光面２１となっており、他方面は裏面２２となっている（図３参照）。基板２は、例えばＳｉの単結晶、多結晶及び非結晶のうち少なくとも一つからなるものである。基板２は、受光面２１側がｎ型半導体であってもよく、ｐ型半導体であってもよい。基板２は、例えば、対向する２辺の距離が１２５ｍｍとなっている。
【００２５】
受光面２１の表面には、複数の直線状のフィンガー電極３が互いに平行に離間して配置されている。太陽電池セル１００を複数接続して太陽電池モジュールを形成する際、このフィンガー電極３には、導電性接着フィルム（導電性接着剤）５により２本のＴＡＢ線４が接続される（図５参照）。ここで、フィンガー電極３にＴＡＢ線４が接続される受光面２１上の領域をＴＡＢ領域ＳＦという。２本のＴＡＢ線４は、フィンガー電極３と直交する方向（第二方向Ｄ２）に延びるように、ＴＡＢ領域ＳＦにおいて各フィンガー電極３と接続される。このため、ＴＡＢ領域ＳＦは、第二方向Ｄ２に延びて、２本のＴＡＢ線４がそれぞれ接続されるＴＡＢ領域ＳＦ１とＴＡＢ領域ＳＦ２とを有する。
【００２６】
ＴＡＢ領域ＳＦ１，ＳＦ２の幅ｗｃは、例えば、１．５ｍｍとなっている。ＴＡＢ領域ＳＦ１とＴＡＢ領域ＳＦ２との間隔ｄｃは、例えば、６２ｍｍとなっている。なお、本実施形態において、単にＴＡＢ領域ＳＦとの記載は、ＴＡＢ領域ＳＦ１及びＴＡＢ領域ＳＦ２の両方のＴＡＢ領域ＳＦを指すものとする。
【００２７】
フィンガー電極３は、第一方向Ｄ１においてそれぞれ逆方向から、ＴＡＢ領域ＳＦに至る複数の第一フィンガー電極及び複数の第二フィンガー電極を備える。具体的に説明すると、フィンガー電極３は、ＴＡＢ領域ＳＦ１、ＳＦ２において、フィンガー電極３１と、フィンガー電極３２と、フィンガー電極３３と、に分割されている。
【００２８】
フィンガー電極３１は、太陽電池セル１００の一方の端よりも内側の位置からＴＡＢ領域ＳＦ１まで延びている。フィンガー電極３１は、例えば、太陽電池セル１００の一方の端より数ｍｍ〜数十ｍｍ内側から延びている。フィンガー電極３３は、太陽電池セル１００の他方の端よりも内側の位置からＴＡＢ領域ＳＦ２まで延びている。フィンガー電極３３は、例えば、太陽電池セル１００の他方の端より数ｍｍ〜数十ｍｍ内側から延びている。図１において、ＴＡＢ領域ＳＦ１に注目すると、第一フィンガー電極がフィンガー電極３１に対応し、第二フィンガー電極がフィンガー電極３２に対応する。ＴＡＢ領域ＳＦ２に注目すると、第一フィンガー電極がフィンガー電極３２に対応し、第二フィンガー電極がフィンガー電極３３に対応する。
【００２９】
図２に示すように、フィンガー電極３１とフィンガー電極３２は、ＴＡＢ領域ＳＦ１において第二方向Ｄ２に交互に設けられている。また、複数のフィンガー電極３１と複数のフィンガー電極３２とが、第二方向Ｄ２において重なっており、第二方向Ｄ２に隣接する全てのフィンガー電極３１及びフィンガー電極３２は、それぞれ離間している。この離間距離は、全て同一とすることができる。複数のフィンガー電極３１のＴＡＢ領域ＳＦ１に至る先端及び複数のフィンガー電極３２のＴＡＢ領域ＳＦ１に至る先端は、ＴＡＢ領域ＳＦ１を第一方向Ｄ１で区画する第二方向Ｄ２と平行な２本の線上にある。このため、フィンガー電極３１とフィンガー電極３２とが重なる長さｌは、ＴＡＢ領域ＳＦ１の幅と略同一となっている。詳細には、複数のフィンガー電極３１のＴＡＢ領域ＳＦ１に至る先端が、ＴＡＢ領域ＳＦ１を第一方向Ｄ１で区画する２本の線のうち、フィンガー電極３２側の線上にあり、複数のフィンガー電極３２のＴＡＢ領域ＳＦ１に至る先端が、ＴＡＢ領域ＳＦ１を第一方向Ｄ１で区画する２本の線のうち、フィンガー電極３１側の線上にある。フィンガー電極３１とフィンガー電極３２とが重なる長さｌは、例えば、１．５ｍｍである。また、ＴＡＢ領域ＳＦ１に至る複数のフィンガー電極３１の先端及び複数のフィンガー電極３２のＴＡＢ領域ＳＦ１に至る先端は、ＴＡＢ領域ＳＦ１の幅方向（第一方向Ｄ１）の中心Ｃから等距離にある。
【００３０】
また、図示は省略するが、ＴＡＢ領域ＳＦ２においても、フィンガー電極３が同様の構成になっている。すなわち、フィンガー電極３２とフィンガー電極３３は、ＴＡＢ領域ＳＦ２において第二方向Ｄ２に交互に設けられている。また、複数のフィンガー電極３２と複数のフィンガー電極３３とが、第二方向Ｄ２において重なっており、第二方向Ｄ２に隣接する全てのフィンガー電極３２及びフィンガー電極３３は、それぞれ離間している。この離間距離は、全て同一とすることができる。複数のフィンガー電極３２のＴＡＢ領域ＳＦ２に至る先端及び複数のフィンガー電極３３のＴＡＢ領域ＳＦ２に至る先端は、ＴＡＢ領域ＳＦ２を第一方向Ｄ１で区画する線上にある。このため、フィンガー電極３２とフィンガー電極３３とが重なる長さはＴＡＢ領域ＳＦ２の幅と略同一となっている。詳細には、複数のフィンガー電極３２のＴＡＢ領域ＳＦ２に至る先端が、ＴＡＢ領域ＳＦ２を第一方向Ｄ１で区画する２本の線のうち、フィンガー電極３３側の線上にあり、複数のフィンガー電極３３のＴＡＢ領域ＳＦ２に至る先端が、ＴＡＢ領域ＳＦ２を第一方向Ｄ１で区画する２本の線のうち、フィンガー電極３２側の線上にある。フィンガー電極３２とフィンガー電極３３とが重なる長さは、例えば、１．５ｍｍである。また、ＴＡＢ領域ＳＦ２に至る複数のフィンガー電極３２の先端及び複数のフィンガー電極３３の先端は、ＴＡＢ領域ＳＦ２の幅方向（第一方向Ｄ１）の中心Ｃから等距離にある。
【００３１】
ＴＡＢ領域ＳＦ１，ＳＦ２にＴＡＢ線４をそれぞれ接続する際に用いる導電性接着フィルム５の幅は、例えば、１．２ｍｍとなっている。
【００３２】
フィンガー電極３は、電気的導通を得ることができる公知の材料からなる。フィンガー電極３の材料としては、銀を含有したガラスペースト、接着剤樹脂に各種導電性粒子を分散した銀ペースト、金ペースト、カーボンペースト、ニッケルペースト、アルミニウムペースト、焼成や蒸着によって形成されるＩＴＯ及びメッキによって形成される金メッキ、銀メッキ、銅メッキ、ニッケルメッキなどが挙げられる。これらの中でも、耐熱性、導電性、安定性及びコストの観点から、銀を含有したガラスペーストを用いることが好ましい。
【００３３】
フィンガー電極３１、フィンガー電極３２及びフィンガー電極３３の線幅は、例えば、０．１０ｍｍとなっている。また、第二方向Ｄ２において互いに隣接するフィンガー電極３１の間隔ｄｆ、第二方向Ｄ２において互いに隣接するフィンガー電極３２の間隔ｄｆ及び第二方向Ｄ２において互いに隣接するフィンガー電極３３の間隔ｄｆは、例えば、２．５５ｍｍとなっている。そのため、ＴＡＢ領域ＳＦ１におけるフィンガー電極３１とフィンガー電極３２の間隔ｄｈ及びＴＡＢ領域ＳＦ２におけるフィンガー電極３２とフィンガー電極３３の間隔ｄｈは、例えば、１．２７５ｍｍとなっている。
【００３４】
図３に示すように、太陽電池セル１００の裏面２２には、その全体を覆うように裏面電極７が形成されている。太陽電池セル１００を複数接続して太陽電池モジュールを形成する際、この裏面電極７には、導電性接着フィルム５によりＴＡＢ線４が接続される（図５参照）。裏面電極７は、電気的導通を得ることができる公知の材料からなる。裏面電極７の材料としては、銀を含有したガラスペースト、接着剤樹脂に各種導電性粒子を分散した銀ペースト、金ペースト、カーボンペースト、ニッケルペースト、アルミニウムペースト、スパッタリングや蒸着によって形成されるＩＴＯ、アルミニウム、銀、金、ニッケル及びメッキによって形成される金メッキ、銀メッキ、銅メッキ、ニッケルメッキなどが挙げられる。これらの中でも、耐熱性、導電性、安定性及びコストの観点から、アルミニウムペーストを用いることが好ましい。また裏面を表面と同様にフィンガー電極を設けても構わない。
【００３５】
裏面２２においてＴＡＢ線４の接続される接続領域ＳＢ１，ＳＢ２の位置は、受光面２１におけるＴＡＢ線４の接続されるＴＡＢ領域ＳＦ１，ＳＦ２と対応した位置になっている。接続領域ＳＢ１，ＳＢ２の幅ｗｃは、接続領域ＳＢ１，ＳＢ２に接続されるＴＡＢ線４の幅と同等であり、例えば、１．５ｍｍとなっている。接続領域ＳＢ１，ＳＢ２の間隔ｄｃは、受光面２１と同様に、例えば、６２ｍｍ程度となっている。また、接続領域ＳＢ１，ＳＢ２にＴＡＢ線４を接続する際に用いる導電性接着フィルム５の幅は、受光面２１にＴＡＢ線を貼り付ける際と同様に、例えば、１．２ｍｍとなっている。
【００３６】
このような太陽電池セル１００は、複数のフィンガー電極３１及び複数のフィンガー電極３２が第一方向Ｄ１において逆方向からＴＡＢ領域ＳＦ１に至ることで、複数のフィンガー電極３１の先端及び複数のフィンガー電極３２の先端により、ＴＡＢ領域ＳＦ１を視覚的に浮き上がらせることができる。また同様に、複数のフィンガー電極３２及び複数のフィンガー電極３３が第一方向Ｄ１において逆方向からＴＡＢ領域ＳＦ２に至ることで、複数のフィンガー電極３２の先端及び複数のフィンガー電極３３の先端により、ＴＡＢ領域ＳＦ２を視覚的に浮き上がらせることができる。よって、別途アライメントマークを形成しなくても、ＴＡＢ領域ＳＦ１及びＴＡＢ領域ＳＦ２としてそれぞれ把握することができるため、電極材の使用量の増加を抑制しつつ、ＴＡＢ線をＴＡＢ領域ＳＦ１及びＴＡＢ領域ＳＦ２に精度よく接続することができる。
【００３７】
また、太陽電池セル１００は、フィンガー電極３１とフィンガー電極３２とがＴＡＢ領域ＳＦ１の延在方向（第二方向Ｄ２）において重なるとともに、フィンガー電極３２とフィンガー電極３３とがＴＡＢ領域ＳＦ２の延在方向（第二方向Ｄ２）において重なっている。これらの重なる長さｌは、ＴＡＢ領域ＳＦ１の幅及びＴＡＢ領域ＳＦ２の幅とそれぞれ略同一となっている。これによって、フィンガー電極３１とフィンガー電極３２とが重なる部分とＴＡＢ領域ＳＦ１の幅及びＴＡＢ領域ＳＦ２の幅とがそれぞれ一致するため、フィンガー電極３１とフィンガー電極３２とが重なっている部分をＴＡＢ領域ＳＦ１の幅として明確に表すことができ、フィンガー電極３２とフィンガー電極３３とが重なっている部分をＴＡＢ領域ＳＦ２の幅として明確に表すことができる。よって、ＴＡＢ線４をＴＡＢ領域ＳＦ１により精度よく接続することができる。
【００３８】
また、太陽電池セル１００は、複数のフィンガー電極３１のＴＡＢ領域ＳＦ１に至る先端及び複数のフィンガー電極３２のＴＡＢ領域ＳＦ１に至る先端は、ＴＡＢ領域ＳＦ１の幅方向（第一方向Ｄ１）の中心Ｃから等距離にあるとともに、複数のフィンガー電極３２のＴＡＢ領域ＳＦ２に至る先端及び複数のフィンガー電極３３のＴＡＢ領域ＳＦ２に至る先端は、ＴＡＢ領域ＳＦ２の幅方向（第一方向Ｄ１）の中心Ｃから等距離にある。これによって、複数のフィンガー電極３１のＴＡＢ領域ＳＦ１に至る先端又は複数のフィンガー電極３２のＴＡＢ領域ＳＦ１に至る先端に挟まれる領域の中心とＴＡＢ領域ＳＦ１の中心とが一致し、複数のフィンガー電極３２のＴＡＢ領域ＳＦ２に至る先端又は複数のフィンガー電極３３のＴＡＢ領域ＳＦ２に至る先端に挟まれる領域の中心とＴＡＢ領域ＳＦ２の中心とが一致する。よって、ＴＡＢ領域ＳＦ１及びＴＡＢ領域ＳＦ２の幅方向中心を容易に把握することができるため、ＴＡＢ線４をＴＡＢ領域ＳＦ１に精度よく接続することができる。
【００３９】
また、太陽電池セル１００は、複数のフィンガー電極３１のＴＡＢ領域ＳＦ１に至る先端及び複数のフィンガー電極３２のＴＡＢ領域ＳＦ１に至る先端が第二方向Ｄ２と平行な線上にある。これによって、複数のフィンガー電極３１のＴＡＢ領域ＳＦ１に至る先端又は複数のフィンガー電極３２のＴＡＢ領域ＳＦ１に至る先端の位置を、ＴＡＢ領域ＳＦ１と平行な位置として視覚的に浮き上がらせることができる。また、複数のフィンガー電極３２のＴＡＢ領域ＳＦ２に至る先端又は複数のフィンガー電極３３のＴＡＢ領域ＳＦ２に至る先端の位置を、ＴＡＢ領域ＳＦ２と平行な位置として視覚的に浮き上がらせることができる。よって、ＴＡＢ領域ＳＦ１及びＴＡＢ領域ＳＦ２と平行にＴＡＢ線４を置くことができるため、ＴＡＢ線４をＴＡＢ領域ＳＦ１に精度よく接続することができる。
【００４０】
また、太陽電池セル１００において、フィンガー電極３は、ＴＡＢ領域ＳＦの延在方向（第二方向Ｄ２）と直交する方向（第一方向Ｄ１）に延びている。これによって、太陽電池セル１００の集電効率を向上できる。
【００４１】
太陽電池セル１００は、図４に示すように、受光面２１のＴＡＢ線４が接続されるがＴＡＢ領域ＳＦ１，ＳＦ２が一直線上に沿うように複数が１列に配置され、受光面２１のＴＡＢ線４が接続されるＴＡＢ領域ＳＦ１，ＳＦ２に沿うように導電性接着フィルム５を介して配置されたＴＡＢ線４によって連結される。
【００４２】
連結は、隣接する太陽電池セル１００Ａ，１００Ｂのうち、一方の太陽電池セル１００Ａの受光面２１側のＴＡＢ領域ＳＦ１におけるフィンガー電極３１及びフィンガー電極３２と、他方の太陽電池セル１００Ｂの裏面２２側の接続領域ＳＢにおける裏面電極７とをＴＡＢ線４で接続し（図５参照）、さらに隣接する太陽電池セル１００Ａの受光面２１側のＴＡＢ領域ＳＦ２におけるフィンガー電極３２及びフィンガー電極３３と、他方の太陽電池セル１００Ｂの裏面２２側の接続領域ＳＢにおける裏面電極７とをＴＡＢ線４で接続し、これを繰り返すことで行われる。これにより、１列に配置された複数の太陽電池セル１００が電気的に直列に接続される。このような列が、１列又は複数列設けられることで太陽電池モジュールが形成される。
【００４３】
以上、本発明に係る太陽電池セルの好適な実施形態について詳細に説明したが、本発明は上記実施形態に限定されるものではない。以下、図６〜１０を用いて、上記実施形態の他の例について説明する。なお、図７〜９は、太陽電池セル１００のＴＡＢ領域ＳＦ１を拡大した図であり、これらの図を用いてフィンガー電極３１及びフィンガー電極３２の変形例を説明するが、ＴＡＢ領域ＳＦ２におけるフィンガー電極３２及びフィンガー電極３３についても同様の構成になっているものとする。
【００４４】
上記実施形態において、フィンガー電極３１は、太陽電池セル１００の一方の端よりも内側の位置からＴＡＢ領域ＳＦ１まで延びており、フィンガー電極３３は、太陽電池セル１００の他方の端よりも内側の位置からからＴＡＢ領域ＳＦ２まで延びていたが、これに限られない。図６に示すように、フィンガー電極３１は、太陽電池セル１００の一方の端からＴＡＢ領域ＳＦ１まで延びていても構わない。また、フィンガー電極３３は、太陽電池セル１００の他方の端からＴＡＢ領域ＳＦ２まで延びていても構わない。
【００４５】
また、上記実施形態において、複数のフィンガー電極３１のＴＡＢ領域ＳＦ１に至る先端及び複数のフィンガー電極３２のＴＡＢ領域ＳＦ１に至る先端は、ＴＡＢ領域ＳＦ１を第一方向Ｄ１で区画する線上にあったが、複数のフィンガー電極３１のＴＡＢ領域ＳＦ１に至る先端及びフィンガー電極３２のＴＡＢ領域ＳＦ１に至る先端の位置はこれに限られない。このような場合でも上記実施形態と同様に、別途アライメントマークを形成しなくてもＴＡＢ領域の位置を把握することができる。
【００４６】
図７及び図８に示すように、複数のフィンガー電極３１のＴＡＢ領域ＳＦ１に至る先端及びフィンガー電極３２のＴＡＢ領域ＳＦ１に至る先端は、ＴＡＢ領域ＳＦ１をＤ１方向に区画する線よりもＴＡＢ領域ＳＦ１の内側又は外側にあってもよい。この場合、ＴＡＢ領域ＳＦ１の延在方向（第二方向Ｄ２）と平行な線（破線ｈ）上にあることが好ましい。
【００４７】
また、上記実施形態において、フィンガー電極３１とフィンガー電極３２とが重なる長さｌは、ＴＡＢ領域ＳＦ１の幅と略同一となっていたが、上記重なる長さｌは、これに限られない。図７に示すように、上記重なる長さｌはＴＡＢ領域ＳＦ１の幅よりも短くてもよい。このようにしても、ＴＡＢ領域ＳＦ１の幅より長く形成されたフィンガー電極３１とフィンガー電極３２によって受光面２１の受光面積が小さくなることないため、集光効率の向上を図りながら、ＴＡＢ線４をＴＡＢ領域ＳＦ１に精度よく接続することができる。
【００４８】
フィンガー電極３１とフィンガー電極３２とが重なる長さｌがＴＡＢ領域ＳＦ１の幅よりも短い場合において、フィンガー電極３１とフィンガー電極３２とが重なる長さｌは、ＴＡＢ領域ＳＦ１の幅の１０％以上であることが好ましい。これによって、ＴＡＢ領域ＳＦ１の位置を認識するための十分な幅を確保することができるため、フィンガー電極３１とフィンガー電極３２とが重なっている部分をＴＡＢ領域ＳＦ１として視覚的に明確に表すことができ、ＴＡＢ線４をＴＡＢ領域ＳＦ１により精度よく接続することができる。また、上記重なる長さは、ＴＡＢ領域ＳＦ１の幅の３０％以上であることがより好ましく、幅の５０％以上であることがさらに好ましい。
【００４９】
また、フィンガー電極３１とフィンガー電極３２とが重なる長さｌは、図８に示すように、ＴＡＢ領域ＳＦ１の幅よりも長くてもよい。この場合、フィンガー電極３１のＴＡＢ領域ＳＦ１に至る先端及びフィンガー電極３２のＴＡＢ領域ＳＦ１に至る先端は、ＴＡＢ領域ＳＦ１の外側に突き出た位置となる。これによって、ＴＡＢ線４を接続する際にＴＡＢ線４がＴＡＢ領域ＳＦ１から第一方向Ｄ１に多少ずれても、基板２とＴＡＢ線４とを電気的に接続できる。
【００５０】
上記実施形態において、ＴＡＢ領域ＳＦ１の延在方向（第二方向Ｄ２）に隣接する全てのフィンガー電極３１及びフィンガー電極３２は、それぞれ離間していたが、図９に示すように、第二方向Ｄ２に隣接する少なくとも一対のフィンガー電極３１とフィンガー電極３２とが接触していても構わない。このようにしても、フィンガー電極３１と、フィンガー電極３２との重なりにより、ＴＡＢ領域ＳＦ１をより明確に表すことができ、ＴＡＢ線４をＴＡＢ領域ＳＦ１により精度よく接続することができる。また、図９において、第二方向Ｄ２に隣接する全てのフィンガー電極３１及びフィンガー電極３２が接触していても構わない。この場合も、上述したように、フィンガー電極３１と、フィンガー電極３２との重なりにより、ＴＡＢ領域ＳＦ１をより明確に表すことができ、ＴＡＢ線４をＴＡＢ領域ＳＦ１に精度よく接続することができる。
【００５１】
また、上記実施形態では、ＴＡＢ領域ＳＦの数（太陽電池セル１００に接続するＴＡＢ線４の本数）は２つとなっているが、図１０に示すようにＴＡＢ領域ＳＦの数が３つでもよく、４つ以上であってもよい。また、複数のフィンガー電極３は、直線状でなくてもよく、互いに平行でなくてもよい。
【００５２】
また、上記実施形態において、複数のフィンガー電極３１のＴＡＢ領域ＳＦ１に至る先端及び複数のフィンガー電極３２のＴＡＢ領域ＳＦ１に至る先端は、ＴＡＢ領域ＳＦ１の幅方向（第一方向Ｄ１）の中心Ｃから等距離にあったが、複数のフィンガー電極３１のＴＡＢ領域ＳＦ１に至る先端及び複数のフィンガー電極３２のＴＡＢ領域ＳＦ１に至る先端は、中心Ｃから等距離になくてもよい。この場合、フィンガー電極３１のＴＡＢ領域ＳＦ１に至る先端の方がフィンガー電極３２のＴＡＢ領域ＳＦ１に至る先端よりも中心Ｃからの距離が短くてもよいし、フィンガー電極３２の先端の方がフィンガー電極３１の先端よりも中心Ｃからの距離が短くてもよい。
【００５３】
また、上記実施形態では、フィンガー電極３の延びる第一方向Ｄ１がＴＡＢ領域ＳＦ１の延在方向（第二方向Ｄ２）とフィンガー電極３と交差する第二方向Ｄ２と直交していたが、第一方向Ｄ１と第二方向Ｄ２とは、必ずしも直交していなくてもよい。
【００５４】
また、上記実施形態では、複数のフィンガー電極３１のＴＡＢ領域ＳＦ１に至る先端及び複数のフィンガー電極３２のＴＡＢ領域ＳＦ１に至る先端は、第二方向Ｄ２と平行な線上にあったが、別途アライメントマークを形成せずにＴＡＢ領域ＳＦ１の位置を表すことができれば、第二方向Ｄ２と平行な線上に必ずしもなくても構わない。
【００５５】
また、上記実施形態では、導電性接着剤としてフィルム状の導電性接着フィルム５が用いられているが、液状の導電性接着剤が塗布されてもよい。また、上記実施形態では、接着剤として導電性接着剤が用いられているが、接着剤として絶縁性接着剤が用いられてもよい。また、上記実施形態において、太陽電池セルの表面及び裏面にバスバー電極やアライメントマークを形成してもよい。
【符号の説明】
【００５６】
３…フィンガー電極、４…ＴＡＢ線、５…導電性接着フィルム（導電性接着剤）、７…裏面電極、２１…受光面、２２…裏面、３１，３２，３３…フィンガー電極、１００，１００Ａ，１００Ｂ，１００Ｃ，１００Ｄ…太陽電池セル、ＴＡＢ領域…ＳＦ，ＳＦ１，ＳＦ２。
【図１】
2014042000.tif 000003
【図２】
2014042000.tif 000004
【図３】
2014042000.tif 000005
【図４】
2014042000.tif 000006
【図５】
2014042000.tif 000007
【図６】
2014042000.tif 000008
【図７】
2014042000.tif 000009
【図８】
2014042000.tif 000010
【図９】
2014042000.tif 000011
【図１０】
2014042000.tif 000012